(57)【要約】【課題】  比較的簡単、かつ安価にして外壁に良好な通気層を形成でき、漏水防止性が高くなり、耐火性および耐久性に優れた建築物の外壁通気構造を提供する。【解決手段】  建築物躯体１の外面側とモルタル層５側との間に通気層形成用のスペーサ部材２を介在した建築物の外壁通気構造において、前記スペーサ部材２を、金属製ラス網状基材２０の全域に建築物躯体１外面側に向かって突出する多数の凸部２１をプレス形成して散在させてなる通気用ラス網によって構成する。【選択図】          図１
2006052538.tif 000002
【特許請求の範囲】
【請求項１】
建築物躯体の外面側に防水紙を介して敷設されたモルタル用ラス網と、
前記モルタル用ラス網を埋設する状態で前記防水紙の外面に形成されたモルタル層とを備え、
前記建築物躯体の外面側とモルタル層側との間に通気層形成用のスペーサ部材を介在した建築物の通気機能を有する外壁構造において、
前記スペーサ部材が、金属製ラス網状基材の全域に建築物躯体外面側に向かって突出する多数の凸部を散在状態に突設してなる通気用ラス網から構成されてなることを特徴とする建築物の通気機能を有する外壁構造。
【請求項２】
前記凸部は、高さ３〜１８mmである請求項１に記載の建築物の通気機能を有する外壁構造。
【請求項３】
通気層形成用のスペーサ部材として、金属製ラス網状基材の全域に建築物躯体外面側に向かって突出する多数の凸部を散在状態に突設してなる通気用ラス網を用い、
該通気用ラス網を前記凸部が建築物躯体の外壁下張板に対面するように該外壁下張板の外面に配設固定したのち、
該通気用ラス網の外面に防水紙を介してモルタル用ラス網を敷設し、
次いで、上記モルタル用ラス網の上から該ラス網を埋設する態様でモルタルを塗工することを特徴とする建築物の通気機能を有する外壁の施工方法。
【発明の詳細な説明】
【技術分野】
【０００１】
この発明は、木質系建築物の結露防止に適した通気機能を有する外壁構造に関する。
【背景技術】
【０００２】
近年、建築物の高気密化および高断熱化が進められる中で、特に木質系建築物における外壁の内部結露が問題になってきており、この対策として、外壁内部に通気機能を付与した外壁通気構造が好んで実施化される状況に至っている。
【０００３】
従来、かかる外壁通気構造は、一般的に、図８に示すように、建築物躯体１０１の外面に透湿性防水紙１０２を貼着し、該透湿性防水紙１０２を介してその外面に通気層Ｓを形成するためのいわゆる通気胴縁と称される複数の木製の縦桟１０３を、例えば４５０mmピッチで並設し、この縦桟１０３の外側に裏打ち紙をもったラス網１０４を取付け、その上からクラック防止用の耐アルカリガラスネット１０５を敷設しながら、これらラス網１０４や耐アルカリガラスネット１０５が埋設されるようにモルタルを塗工してモルタル層１０６を形成している。
【０００４】
上記外壁構造では、前記縦桟１０３が通気層形成用のスペーサ部材として働き、建築物躯体１０１の外面側とモルタル層１０６側との間に通気層Ｓが形成される。
【０００５】
ところが、このような従来一般の外壁通気構造では、互いに並設された複数の縦桟１０３のピッチが４５０mm程度と比較的広いことからから、モルタル層１０６に埋設されたラス網１０４の支持間隔が比較的長く、このため、モルタル層１０６が図８の鎖線で示すように、前記縦桟１０３間で垂れ気味となってその塗膜が均一になりにくい。またこの場合、通気層Ｓの寸法も不安定になり易い。
【０００６】
そして、これらが起因してモルタル層１０６にクラックなどが生じやすくなり、加えて前記縦桟１０３の収縮・乾燥がそのクラック発生を促進させ、該クラックを通して雨水の侵入を招くおそれがあった。
【０００７】
前記縦桟１０３のピッチを短くしたり、ラス網１０４の強度を上げてモルタル層１０６の垂れ下がりを防止することも考えられるが、コスト高になることに加え、前者では有効な通気層が少なくなること、また後者では強度を上げることでラス網の切断などの加工性が悪化するなどの問題が派生し、いずれも現実的ではない。
【０００８】
また、建築工事において、前記建築物躯体１０１の大工工事が終われば、普通は、ラス網張り工程やモルタル塗りなどの左官工事に入るのが通例であるが、その左官工事に移管する際に縦桟１０３を固定する大工工事が再度係わることは、作業の段取りが煩雑になってしまうという問題もあった。
【０００９】
さらにまた、通気層Ｓが縦桟１０３で間欠的に遮断されているので、例えば図９に示すように、外壁に窓Ｐを設ける場合、窓Ｐの上下の縦桟１０３を切り欠いて空気が横方向に流れるように通気層を連続させなければならず、建物の外壁面の形態に応じて通気路を連通させるための設計上の部分的な改変計画と施工上の手間が必要となってしまう。
【００１０】
このような問題点に対し、近時、図１０に示すように、紙やフィルムなどのからなり、エンボス加工により多数の凸球状部２０２が形成された表層２０１をアスファルトコンパウンド層２０３に貼着してなる防水面材２００を通気層形成用のスペーサ部材として使用する工法が提案されている（例えば、特許文献１参照）。
【００１１】
また、図１１に示すように、前記通気層Ｓを形成するための波形ボール紙３０１にフラットなボール紙３０２を貼り付けたダンボール３００をスペーサ部材として使用する工法も提案されている（例えば、特許文献２参照）。
【特許文献１】特許第３３２６６０２号公報（第４頁、図１）
【特許文献２】特開平１１−２８７０２５号公報（第２頁、図２）
【発明の開示】
【発明が解決しようとする課題】
【００１２】
しかしながら、上記前者のものにおいては、確かに、凸球状部２０２をもった防水面材２００を使用することにより、前記縦桟などを設けることなく、通気層Ｓを形成できるが、この防水面材２００が２層構造であるから、それ自体の製造が厄介であるうえ、表層２０１に適正高さの凸球状部２０２をエンボス加工するのが比較的難しく、結果的にコスト高を招く難点がある。
【００１３】
また、上記した後者のものでは、前記通気層Ｓを形成するためのスペーサ部材がダンボール３００であることから、比較的安価に提供できるものの、耐久性に劣るうえ、耐火性の点で大きな問題があり、実用的ではない。
【００１４】
この発明は、上記のような実情に鑑みてなされたものであり、比較的簡単、かつ安価にして外壁に通気層としての好適な空間を形成でき、漏水防止性能も向上し、耐火性および耐久性にも優れたものとなしうる建築物の外壁構造を提供することを課題とする。
【課題を解決するための手段】
【００１５】
上記課題を解決するために、この発明は、建築物躯体の外面側に防水紙を介して敷設されたモルタル用ラス網と、前記モルタル用ラス網を埋設する状態で前記防水紙の外面に形成されたモルタル層とを備え、前記建築物躯体の外面側とモルタル層側との間に通気層形成用のスペーサ部材を介在した建築物の外壁構造において、前記スペーサ部材が、金属製ラス網状基材の全域に建築物躯体外面側に向かって突出する多数の凸部を散在状態に突設してなる通気用ラス網から構成されてなることを特徴とする建築物の通気機能を有する外壁構造に係わるものである。
【００１６】
上記通気用ラス網における凸部は、高さ３〜１８mmの範囲に設定される。この凸部の高さは、通気層の高さないし厚さを規定するものであり、３mmより低いと十分な通気機能の確保が困難なものとなり、逆に１８mmを超えて高すぎる設定とするときは、外壁の厚さの過剰な増大を招くのみならず、モルタル層の不安定原因となり好ましくない。
【００１７】
また、この発明は、上記外壁の施工方法に関し、通気層形成用のスペーサ部材として、金属製ラス網状基材の全域に建築物躯体外面側に向かって突出する多数の凸部を散在状態に突設してなる通気用ラス網を用い、該通気用ラス網を前記凸部が建築物躯体の外壁下張板に対面するように該外壁下張板の外面に配設固定したのち、該通気用ラス網の外面に防水紙を介してモルタル用ラス網を敷設し、次いで、上記モルタル用ラス網の上から該ラス網を埋設する態様でモルタルを塗工することを特徴とするものである。
【発明の効果】
【００１８】
この発明の建築物の外壁通気構造によれば、通気胴縁としての縦桟を使用することなく、前記多数の凸部が形成された通気用ラス網を敷設するだけの簡単な作業で、かつ安価にして、建築物躯体の外面側とモルタル層側との間に良好な通気層を確保できるうえ、通気用ラス網の敷設、防水紙やモルタル用ラス網の貼り付けはラス工事の一連として行え、ついで、モルタル工事と続き、作業工程の流れを順調に維持することができる。
【００１９】
とくに、前記凸部の設定間隔を適正に設定すれば、モルタル層の変形を抑制でき、クラックに起因する漏水の発生を確実に防止できる。
【００２０】
また、外壁に窓を設ける場合でも、従来の縦桟を使った場合と違って通気の方向が全方向になり、窓周囲の構造を改変しなくても簡単に連続した通気層を形成できるのはもとより、前記凸部自体もラス網の一部で通気性があるから、全体の通気性が一層高められる。
【００２１】
また、通気用ラス網が金属製であるから、耐久性に優れるうえ、耐火性についての心配も全くなくなる。
【発明を実施するための最良の形態】
【００２２】
以下、この発明の実施形態を図面に基づいて説明する。
【００２３】
図１は、この発明の実施形態にかかる木質系家屋の外壁構造を示す断面図である。
【００２４】
図１において、この建築物の外壁構造は、建築物躯体１の外面に配置された通気層形成用のスペーサ部材としての通気用ラス網２と、防水紙３と、モルタル用ラス網４と、モルタル層５と、外装化粧層６とを備えている。
【００２５】
前記スペーサ部材としての通気用ラス網２は、タッカーやステープルなどの留め付け具１１により建築物躯体１の外面、具体的には、建築物躯体１における合板等による外壁下張板１ａの外面に固定されて、建築物躯体１の外面側とモルタル層５側との間に通気層Ｓを形成するためのものである。
【００２６】
上記通気用ラス網２は、図３に示すように、ラス網状基材２０の全域に前記建築物躯体１側へ向かって突出する多数の凸部２１をプレス成形してなる金属製のラス網、例えばハイテンションラス網から構成されている。この通気用ラス網２の上記留め付け具１１による固定は、図１に示すように凸部２１の部分において行われる。
【００２７】
この通気用ラス網２は、防錆処理済みの冷間圧延鋼板から形取りされたものであり、具体的な一例としては、例えば単位重量が１．０ｋｇ／ｍ2であり、横幅Ｗが１８２０mm、縦の長さＨが６００mmの大きさであり、施工時には、図２に示すように、この通気用ラス網２が複数枚並べて使用される。
【００２８】
また、前記通気用ラス網２のラス目サイズ（図４のＬ×ｌ）は、例えば１０mm×７mm程度である。勿論、この通気用ラス網２は、モルタル施工時に撓みが生じたり、現場での切断作業に支障がなければ、上記の規格に制約されることなく任意に選択可能である。
【００２９】
前記ラス目サイズは、該通気用ラス網２よりも外面側に配設される防水紙３やモルタル層５に埋設されるモルタル用ラス網４を止めるためのタッカーやステープルなどの留め付け具１２が貫通しにくい寸法であればよい。逆に通気用ラス網２のラス目サイズに貫通しない肩幅をもった留め付け具１２を選択使用するものとしてもよい。
【００３０】
また、通気用ラス網２に形成される凸部２１の平面サイズは、例えばラス網基材２０におけるラス目の数個分であり、例えば４０〜５０mmのピッチｄをもって前記基材２０の全域に千鳥状配置に形成される。
【００３１】
この凸部２１の高さｔは、通気層Ｓの厚み、すなわち通気空間の間隙幅を決めるものであり、通常３〜１８mmの範囲において、使用される地域の気候環境（一般地、寒冷地などの違い）により適した寸法に設定すればよい。一般的に好ましい高さｔは、５〜１０mm程度である。
【００３２】
また、通気用ラス網２は、長期にわたって通気層Ｓを安定的に確保する必要があるので、耐久性をあげるための防錆処理などが施されたものを用いるのが好ましい。
【００３３】
前記防水紙３は、従来汎用の防水シート、例えばターポリン紙等が用いられるものであり、前記通気用ラス網２の外面側に張設されるものである。
【００３４】
前記モルタル用ラス網４は、前記通気用ラス網２の外面側に防水紙３を介して配設されるものであり、建築物躯体１の外面側に前記タッカーやステープルなどの留め付け具１２により固定される。
【００３５】
前記モルタル層５は、前記モルタル用ラス網４を埋設する状態で前記通気用ラス網２の外面側に塗工されるものである。
【００３６】
前記外装化粧層６は、樹脂やセラミックなどからなる耐水性の塗料を仕上げ層としてモルタル層５の外面に塗着されるものである。
【００３７】
ついで、上記構成の木質系家屋の外壁の施工手順を説明する。
【００３８】
まず、図５に示すように、通気用ラス網２における凸部２１側が建築物躯体１の外壁下張板１ａに対面するように通気用ラス網２を配設し、この通気用ラス網２をタッカーやステープルなどの留め付け具１１を用いて前記凸部２１の部分を外壁下張板１ａの外面に固定する。
【００３９】
その後、図６に示すように、前記通気用ラス網２の外面に防水紙３を貼着した後、この防水紙３の上からモルタル用ラス網４を敷設する。
【００４０】
ついで、このモルタル用ラス網４の上から図７に示すように、モルタル塗りを行い、該モルタル用ラス網４を埋設した状態のモルタル層５を形成する。最後に、このモルタル層５の上に耐水性を有する樹脂などを塗布して外装化粧層６を形成する。
【００４１】
このような通気構造においては、建築物が高気密化されても、前記通気層Ｓによって外壁内での通気性が良好に保たれるため、壁内での内部結露を有効に防止できる。
【００４２】
また、前記通気層Ｓを形成するためのスペーサ部材が通気用ラス２で構成されていることから、従来のように、縦桟で構成したものとは違って通気の方向性に制約を受けることがなくなり、建築物外面の形状が曲面などでも対応可能となる。
【００４３】
さらに、図２に示すように建築物躯体の外壁に窓Ｐを設ける場合でも、この窓Ｐの周辺の形状を通気のために改変することを必要とせず、格別の改変設計上の計画を必要とすることなく施行も簡単に行える。
【００４４】
また、通気用ラス網２を留め付けた後の使用材料や施工内容や施工工程は、従来の一般的な湿式左官外壁工事と同じであり、的確に通気層Ｓが形成できるばかりか、施工も簡単であり、かつ通気用ラス網２が多数の凸部２１を有しているので、凸部２１の間隔を適正に設定すれば、モルタル用ラス網４やモルタル層５の変形を抑制でき、したがってモルタル層５にクラックが発生することによる漏水のおそれ等をも解消することができる。
【００４５】
とくに、通気用ラス網２は、安価に製造できる他、凸部２１自体も通気可能であるから、空気の流れが凸部２１で影響を受けることがなく、従って通気性能が著しく高められることになる。
【００４６】
さらに、通気用ラス網２が金属製であるから、ダンボールでスペーサ部材を形成したものに比して耐火性もよく、耐久性も高められる。
【００４７】
なお、スペーサ部材としての通気用ラス網２は、上記ハイテンションラス網に限られるものではなく、凸部２１自体が通気可能なものであれば、例えばエキスパンデッドメタルなどを使用することも可能である。
【００４８】
尚、本発明の上記実施例において、モルタル層５の施工時に、従来工法に準じてクラック防止用の耐アルカリネットを敷設しながらモルタルの塗工を行うものとしても良い。
【００４９】
また、好ましい変形実施態様の１つとして、建築物躯体１の外壁面上、即ち外壁下張板１ａ上に、予め透湿防水紙を敷設施工したのち、この透湿防水紙を介してその上に通気用ラス網２を施工するものとしても良い。この場合の外壁構造は、外壁下張板上に、順次、透湿防水紙、通気用ラス網、防水紙、モルタル用ラス、モルタル、外装化粧層が施工されるものである。
【００５０】
要するに、この発明は、通気層形成用のスペーサ部材に、金属製の通気用ラス網を用いること、特に、通気層形成のための多数の凸部を形成したラス網を用いることを主たる特徴点とするものであり、この特徴点を包含する限りにおいて前記実施例に示した具体的構成のほか、各種の変形実施態様の採用が許容されるものである。
【図面の簡単な説明】
【００５１】
【図１】この発明の実施形態にかかる建築物の外壁通気構造が適用された木質系家屋の外壁を示す断面図である。
【図２】同じく外壁に窓を設けた場合の窓周辺の通気態様の説明図である。
【図３】通気層形成用のスペーサ部材として使用する通気用ラス網の構成を示す斜視図である。
【図４】通気用ラス網のラス目サイズの説明図である。
【図５】建築物の外面に通気用ラス網を張設した状態を示す断面図である。
【図６】通気用ラス網上に防水紙を介してモルタル用ラス網を敷設した状態を示す断面図である。
【図７】モルタル用ラス網を埋設してモルタル層を形成した状態を示す断面図である。
【図８】従来の建築物の外壁通気構造の一例を示す断面図である。
【図９】図８の外壁通気構造に窓を設けた場合の通気態様の説明図である。
【図１０】通気層形成用のスペーサ部材の先行提案例の説明図である。
【図１１】通気層形成用のスペーサ部材の他の先行提案例の説明図である。
【符号の説明】
【００５２】
１・・・・・・・・建築物
２・・・・・・・・スペーサ部材（通気用ラス網）
３・・・・・・・・防水紙
４・・・・・・・・モルタル用ラス網
５・・・・・・・・モルタル層
２０・・・・・・・ラス網状基材
２１・・・・・・・凸部
【図１】
2006052538.tif 000003
【図２】
2006052538.tif 000004
【図３】
2006052538.tif 000005
【図４】
2006052538.tif 000006
【図５】
2006052538.tif 000007
【図６】
2006052538.tif 000008
【図７】
2006052538.tif 000009
【図８】
2006052538.tif 000010
【図９】
2006052538.tif 000011
【図１０】
2006052538.tif 000012
【図１１】
2006052538.tif 000013